(57)【特許請求の範囲】
【請求項１】
室が中に形成された基板と、
前記室の壁を形成し、撓むことにより前記室を膨張又は収縮させるように動作可能な膜と、
前記膜上に支持されたアクチュエータであって、前記アクチュエータは駆動電極層と基準電極層との間に配置された圧電層を含み、前記圧電層は前記室を越えて跨る平面圧電材料であって前記平面圧電材料に垂直な一様な分極方向を有する平面圧電材料を含み、前記駆動電極層は内側電極と前記内側電極を囲む外側電極とを含む複数の駆動電極を有し、前記基準電極層は前記内側電極に跨る第１の部分と前記外側電極に跨る第２の部分とを有する基準電極を含み、前記複数の駆動電極の少なくとも一つと前記基準電極との間の電圧差の生成により前記平面圧電材料に電界を生じさせ、前記電界により前記平面圧電材料を変形させ、前記平面圧電材料の変形により前記膜を撓ませる、アクチュエータと、
前記複数の駆動電極及び前記基準電極に電気的に接続されたコントローラーであって、液滴を吐出する動作サイクル中、第１の期間に、前記平面圧電材料の前記外側電極と前記基準電極との間の部分に前記分極方向と同じ方向に向いた電界を生じさせる第１の電圧差パルスを印加することにより前記室を膨張させ、前記第１の期間の後の第２の期間に、前記平面圧電材料の前記内側電極と前記基準電極との間の部分に前記分極方向と同じ方向に向いた電界を生じさせる第２の電圧差パルスを印加することにより前記室を収縮させる、コントローラーと、
を備え、
前記平面圧電材料の前記一様な分極方向は前記基準電極層から前記駆動電極層に向き、前記第１の電圧差パルスは負の電圧差パルスであり、前記第２の電圧差パルスは別の負の電圧差パルスである、
流体吐出システム。
【請求項２】
室が中に形成された基板と、
前記室の壁を形成し、撓むことにより前記室を膨張又は収縮させるように動作可能な膜と、
前記膜上に支持されたアクチュエータであって、前記アクチュエータは駆動電極層と基準電極層との間に配置された圧電層を含み、前記圧電層は前記室を越えて跨る平面圧電材料であって前記平面圧電材料に垂直な一様な分極方向を有する平面圧電材料を含み、前記駆動電極層は内側電極と前記内側電極を囲む外側電極とを含む複数の駆動電極を有し、前記基準電極層は前記内側電極に跨る第１の部分と前記外側電極に跨る第２の部分とを有する基準電極を含み、前記複数の駆動電極の少なくとも一つと前記基準電極との間の電圧差の生成により前記平面圧電材料に電界を生じさせ、前記電界により前記平面圧電材料を変形させ、前記平面圧電材料の変形により前記膜を撓ませる、アクチュエータと、
前記複数の駆動電極及び前記基準電極に電気的に接続されたコントローラーであって、液滴を吐出する動作サイクル中、第１の期間に、前記平面圧電材料の前記外側電極と前記基準電極との間の部分に前記分極方向と同じ方向に向いた電界を生じさせる第１の電圧差パルスを印加することにより前記室を膨張させ、前記第１の期間の後の第２の期間に、前記平面圧電材料の前記内側電極と前記基準電極との間の部分に前記分極方向と同じ方向に向いた電界を生じさせる第２の電圧差パルスを印加することにより前記室を収縮させる、コントローラーと、
を備え、
前記平面圧電材料の前記一様な分極方向は前記駆動電極層から前記基準電極層に向き、前記第１の電圧差パルスは正の電圧差パルスであり、前記第２の電圧差パルスは別の正の電圧差パルスである、
流体吐出システム。
【請求項３】
室が中に形成された基板と、
前記室の壁を形成し、撓むことにより前記室を膨張又は収縮させるように動作可能な膜と、
前記膜上に支持されたアクチュエータであって、前記アクチュエータは駆動電極層と基準電極層との間に配置された圧電層を含み、前記圧電層は前記室を越えて跨る平面圧電材料であって前記平面圧電材料に垂直な一様な分極方向を有する平面圧電材料を含み、前記駆動電極層は内側電極と前記内側電極を囲む外側電極とを含む複数の駆動電極を有し、前記基準電極層は前記内側電極に跨る第１の部分と前記外側電極に跨る第２の部分とを有する基準電極を含み、前記複数の駆動電極の少なくとも一つと前記基準電極との間の電圧差の生成により前記平面圧電材料に電界を生じさせ、前記電界により前記平面圧電材料を変形させ、前記平面圧電材料の変形により前記膜を撓ませる、アクチュエータと、
前記複数の駆動電極及び前記基準電極に電気的に接続されたコントローラーであって、液滴を吐出する動作サイクル中、第１の期間に、前記平面圧電材料の前記内側電極と前記基準電極との間の部分に前記分極方向の反対方向に向いた電界を生じさせる第１の電圧差パルスを印加することにより前記室を膨張させ、前記第１の期間の後の第２の期間に、前記平面圧電材料の前記外側電極と前記基準電極との間の部分に前記分極方向の反対方向に向いた電界を生じさせる第２の電圧差パルスを印加することにより前記室を収縮させる、コントローラーと、
を備え、
前記平面圧電材料の前記一様な分極方向は前記基準電極層から前記駆動電極層に向き、前記第１の電圧差パルスは正の電圧差パルスであり、前記第２の電圧差パルスは別の正の電圧差パルスである、
流体吐出システム。
【請求項４】
室が中に形成された基板と、
前記室の壁を形成し、撓むことにより前記室を膨張又は収縮させるように動作可能な膜と、
前記膜上に支持されたアクチュエータであって、前記アクチュエータは駆動電極層と基準電極層との間に配置された圧電層を含み、前記圧電層は前記室を越えて跨る平面圧電材料であって前記平面圧電材料に垂直な一様な分極方向を有する平面圧電材料を含み、前記駆動電極層は内側電極と前記内側電極を囲む外側電極とを含む複数の駆動電極を有し、前記基準電極層は前記内側電極に跨る第１の部分と前記外側電極に跨る第２の部分とを有する基準電極を含み、前記複数の駆動電極の少なくとも一つと前記基準電極との間の電圧差の生成により前記平面圧電材料に電界を生じさせ、前記電界により前記平面圧電材料を変形させ、前記平面圧電材料の変形により前記膜を撓ませる、アクチュエータと、
前記複数の駆動電極及び前記基準電極に電気的に接続されたコントローラーであって、液滴を吐出する動作サイクル中、第１の期間に、前記平面圧電材料の前記内側電極と前記基準電極との間の部分に前記分極方向の反対方向に向いた電界を生じさせる第１の電圧差パルスを印加することにより前記室を膨張させ、前記第１の期間の後の第２の期間に、前記平面圧電材料の前記外側電極と前記基準電極との間の部分に前記分極方向の反対方向に向いた電界を生じさせる第２の電圧差パルスを印加することにより前記室を収縮させる、コントローラーと、
を備え、
前記平面圧電材料の前記一様な分極方向は前記駆動電極層から前記基準電極層に向き、前記第１の電圧差パルスは負の電圧差パルスであり、前記第２の電圧差パルスは別の負の電圧差パルスである、
流体吐出システム。
【請求項５】
前記平面圧電材料の前記一様な分極方向は前記室から離れる方向に向く、請求項１乃至４のいずれか一項に記載の流体吐出システム。
【請求項６】
前記平面圧電材料の前記一様な分極方向は前記室のほうに向く、請求項１乃至４のいずれか一項に記載の流体吐出システム。
【請求項７】
前記膜は、前記基板に接着された別の層である、請求項１乃至６のいずれか一項に記載の流体吐出システム。
【請求項８】
前記内側電極は前記膜の中央部の上に配置され、前記外側電極は前記内側電極を囲む前記膜の周辺部の上に配置される、請求項１乃至７のいずれか一項に記載の流体吐出システム。
【請求項９】
前記内側電極及び前記外側電極は、前記膜の上に配置される唯一の駆動電極である、請求項１乃至８のいずれか一項に記載の流体吐出システム。
【請求項１０】
前記膜はＤの横方向寸法を有し、前記内側電極はＤの２／３の横方向寸法を有する、請求項１乃至９のいずれか一項に記載の流体吐出システム。
【請求項１１】
前記外側電極はリングの形状であり、前記リングは内側横方向寸法と外側横方向寸法を有し、前記リングの前記内側横方向寸法は前記内側電極の前記横方向寸法より大きい、請求項１０に記載の流体吐出システム。
【請求項１２】
前記リングの前記外側横方向寸法は前記膜の前記横方向寸法より大きい、請求項１１に記載の流体吐出システム。
【請求項１３】
前記内側電極の前記横方向寸法と前記外側電極の前記内側横方向寸法とは、前記室の膨張と収縮との間で最大容積変位が実現されるようになっている、請求項１２に記載の流体吐出システム。
【請求項１４】
前記内側電極の前記横方向寸法と前記外側電極の前記内側横方向寸法とは、前記室の膨張と収縮との間で等しい容積変位が実現されるようになっている、請求項１１に記載の流体吐出システム。
【請求項１５】
前記平面圧電材料はジルコニウム酸チタン酸鉛（ＰＺＴ）膜である、請求項１乃至１４のいずれか一項に記載の流体吐出システム。
【請求項１６】
請求項１乃至１５のいずれか一項に記載の流体吐出システムによる流体吐出方法であって、前記コントローラーにより前記第１の期間に前記室を膨張させる工程と、前記コントローラーにより前記第１の期間の後の前記第２の期間に前記室を収縮させる工程と、を含む流体吐出方法。
【発明の詳細な説明】
【技術分野】
【０００１】
本明細書は圧電的に作動される流体吐出に関する。
【背景技術】
【０００２】
流体吐出システムは通常、流体供給源からノズルアセンブリまでの流体通路を含み、ノズルアセンブリは液滴が吐出されるノズルを含む。圧電アクチュエータ等のアクチュエータにより流体通路内の流体を加圧することにより液滴吐出を制御することができる。吐出される流体は例えば、インク、エレクトロルミネセント材料、生体化合物、又は電気回路形成用材料であってもよい。
【０００３】
インクジェットプリンタ内の印字ヘッドモジュールは流体吐出システムの一例である。印字ヘッドモジュールは通常、対応するインク通路アレイ及び関連アクチュエータを有する一列のノズル又はノズルアレイを有し、各ノズルからの液滴吐出を一つ又は複数のコントローラーにより独立に制御することができる。印字ヘッドモジュールは、インク通路が形成された半導体印字ヘッドボデイ（以下、印字ヘッドボデイ）と、印字ヘッドボデイに貼り付けられた圧電アクチュエータと、を含むことができる。印字ヘッドボデイに貼り付けられる別の層によりノズルを画定することができる。印字ヘッドボデイは、インク通路に沿ったポンプ室を画定するようにエッチングされるシリコン基板で作られうる。ポンプ室の片側は、圧電アクチュエータにより駆動されるとポンプ室を撓ませて膨張又は収縮させるのに十分に薄い膜である。圧電アクチュエータはポンプ室の上の膜上に支持される。圧電アクチュエータは、一対の対向電極により圧電層に印加される電圧に応じて幾何学的形状を変える（すなわち、作動する）圧電材料の層を含む。圧電層の作動により膜を撓ませ、そして膜が撓むことによりインク通路に沿ったポンプ室内のインクを加圧し、最終的にノズルからインク液滴を吐出する。
【発明の概要】
【課題を解決するための手段】
【０００４】
本明細書は流体吐出に関する技術について述べる。通常、リング電極と一様な分極方向を有する圧電材料とを含む圧電アクチュエータは、単極電圧波形により作動することができる。
【０００５】
一態様では、流体吐出システムは、室が中に形成された基板と、室の壁を形成し、撓むことにより室を膨張又は収縮させるように動作可能な膜と、膜上に支持されたアクチュエータと、を含む。アクチュエータは駆動電極層と基準電極層間に配置された圧電層を含む。圧電層は、室に跨る連続平面圧電材料であってこの連続平面圧電材料にほぼ垂直な一様な分極方向を有する連続平面圧電材料を含む。駆動電極層は、内側電極と内側電極を囲む外側電極とを含む複数の駆動電極を含む。基準電極層は、内側電極に跨る第１の部分と外側電極に跨る第２の部分とを有する基準電極を含む。複数の駆動電極の少なくとも一つと基準電極間の電圧差の生成により連続平面圧電材料内に電界を生成し、電界は連続平面圧電材料を作動して膜を撓ませる。
【０００６】
実施態様は次の特徴の一つ又は複数を含んでいてもよい。コントローラーは複数の駆動電極及び基準電極に電気的に接続され、液滴を吐出する動作サイクル中、コントローラーは室を膨張させる第１の期間に複数の駆動電極内の第１の電極と基準電極間に第１の電圧差パルスを生成し、第１の期間後の、室を収縮する第２の期間に複数の駆動電極内の第１の電極とは異なる第２の電極と基準電極間に第２の電圧差パルスを生成するように動作可能であってもよい。第１の電圧差パルスと第２の電圧差パルスはそれぞれ、分極方向とほぼ同じ方向に向いた電界を生成してもよい。複数の駆動電極内の第１の電極は外側電極であり、複数の駆動電極内の第２の電極は内側電極であってもよい。
【０００７】
膜は基板に接着される別の層であってもよい。
【０００８】
内側電極は膜の中央部の上に配置され、外側電極は内側電極を囲む膜の周辺部の上に配置されてもよい。
【０００９】
内側電極と外側電極は膜の上に配置された唯一の駆動電極であってもよい。
【００１０】
膜はＤの横方向寸法を有し、内側電極はＤの約２／３の横方向寸法を有してもよい。外側電極はリング状であってよく、リングは内側横方向寸法と外側横方向寸法を有し、リングの内側横方向寸法は内側電極の横方向寸法より大きくてもよい。リングの外側横方向寸法は膜の横方向寸法より大きくてもよい。内側電極の横方向寸法と外側電極の内側横方向寸法は、最大容積変位が室の膨張と収縮間に実現されようにされてもよい。内側電極の横方向寸法と外側電極の内側横方向寸法はまた、等しい容積変位が室の膨張と収縮間に実現されるようにされてもよい。
【００１１】
連続平面圧電材料はジルコニウム酸チタン酸鉛（ＰＺＴ）膜であってもよい。
【００１２】
一態様では、流体吐出システムは、室が中に形成された基板と、室の壁を形成し、撓むことにより室を膨張又は収縮させるように動作可能な膜と、膜上に支持されたアクチュエータと、を含む。アクチュエータは、駆動電極層と基準電極層間に配置された圧電層を含む。圧電層は、室に跨る連続平面圧電材料であってこの連続平面圧電材料にほぼ垂直な一様な分極方向を有する連続平面圧電材料を含む。駆動電極層は連続平面圧電材料に接触する駆動電極を含む。駆動電極はリングの形をしており、膜の周辺部の上に配置され、駆動電極層内の膜の上の唯一の駆動電極である。基準電極層は、少なくとも駆動電極により覆われた領域に跨る基準電極を含む。複数の駆動電極と基準電極との間に電圧差を生成することにより連続平面圧電材料内に電界を生成し、電界は連続平面圧電材料を作動して膜を撓ませる。
【００１３】
実施態様は次の特徴の一つ又は複数を含んでよい。流体吐出システムは更に、駆動電極と基準電極に電気的に接続されたコントローラーを含んでもよい。液滴を吐出する動作サイクル中、コントローラーはある期間駆動電極と基準電極との間に電圧差を生成して室を膨張させ、この期間の後に上記電圧差を除去して室を収縮するように動作可能であってもよい。連続平面圧電材料の一様な分極方向は基準電極層から駆動電極層に向かい、電圧差は負の電圧差であってもよい。又、連続平面圧電材料の一様な分極方向は室から離れる方向に向いてもよい。
【００１４】
膜はＤの横方向寸法であってもよい。駆動電極は内側横方向寸法と外側横方向寸法を有し、駆動電極の外側横方向寸法は膜の横方向寸法より大きくてもよい。駆動電極の内側横方向寸法は、最大容積変位が室の膨張と収縮間に実現されるようにされていてもよい。連続平面圧電材料はジルコニウム酸チタン酸鉛（ＰＺＴ）膜であってもよい。
【００１５】
一態様では、流体吐出システムは、室が中に形成された基板と、室の壁を形成し、撓むことにより室を膨張又は収縮させるように動作可能な膜と、膜上に支持されたアクチュエータと、を含む。アクチュエータは、駆動電極層と基準電極層間に配置された圧電層を含む。圧電層は、室に跨る平面圧電材料であってこの平面圧電材料にほぼ垂直な一様な分極方向を有する平面圧電材料を含む。駆動電極層は複数の駆動電極を含む。複数の駆動電極は内側電極と内側電極を囲む外側電極とを含む。基準電極層は基準電極を有し、基準電極は内側電極に跨る第１の部分を有する基準電極と外側電極に跨る第２の部分とを含む。流体吐出システムは更に、一対の駆動電極と基準電極に電気的に接続されたコントローラーを含む。液滴を吐出する動作サイクル中、コントローラーは室を膨張させる第１の期間に複数の駆動電極内の第１の電極と基準電極間に第１の電圧差パルスを生成するように動作可能である。コントローラーは更に、第１の期間の後、室を収縮する第２の期間に複数の駆動電極内の第１の電極とは異なる第２の電極と基準電極間に第２の電圧差パルスを生成するように動作可能であってもよい。
【００１６】
実施態様は次の特徴の一つ又は複数を含んでいてもよい。第１の電圧差パルスと第２の電圧差パルスはそれぞれ、分極方向とほぼ同じ方向に向いた電界を生成してもよい。複数の駆動電極内の第１の電極は外側電極であり、複数の駆動電極内の第２の電極は内側電極であってもよい。
【００１７】
連続平面圧電材料の一様な分極方向は基準電極層から駆動電極層に向かってもよく、第１の電圧差パルスは負の電圧差パルスであり、第２の電圧差パルスは別の負の電圧差パルスであってもよい。連続平面圧電材料の一様な分極方向は室から離れる方向に向いていてもよい。平面圧電材料の一様な分極方向は室の方向に向いていてもよい。
【００１８】
平面圧電材料の一様な分極方向は駆動電極層から基準電極層に向き、第１の電圧差パルスは正の電圧差パルスであり、第２の電圧差パルスは別の正の電圧差パルスであってもよい。連続平面圧電材料の一様な分極方向は室から離れる方向に向いていてもよい。平面圧電材料の一様な分極方向は室の方向に向いていてもよい。
【００１９】
第１の電圧差パルスと第２の電圧差パルスはそれぞれ、分極方向のほぼ反対方向に向いた電界を生成してもよい。複数の駆動電極内の第１の電極は内側電極であり、複数の駆動電極内の第２の電極は外側電極である。
【００２０】
平面圧電材料の一様な分極方向は基準電極層から駆動電極層に向き、第１の電圧差パルスは正の電圧差パルスであり、第２の電圧差パルスは別の正の電圧差パルスであってもよい。連続平面圧電材料の一様な分極方向は室から離れる方向に向いていてもよい。平面圧電材料の一様な分極方向は室の方向に向いていてもよい。
【００２１】
平面圧電材料の一様な分極方向は駆動電極層から基準電極層に向き、第１の電圧差パルスは負の電圧差パルスであり、第２の電圧差パルスは別の負の電圧差パルスであってもよい。連続平面圧電材料の一様な分極方向は室から離れる方向に向いていてもよい。平面圧電材料の一様な分極方向は室の方向に向いていてもよい。
【００２２】
一態様では、流体吐出システムは、室が中に形成された基板と、室の壁を形成し、撓むことにより室を膨張又は収縮させるように動作可能な膜と、膜上に支持されたアクチュエータと、を含む。アクチュエータは駆動電極層と基準電極層間に配置された圧電層を含む。圧電層は、室に跨る平面圧電材料であってこの連続平面圧電材料にほぼ垂直な一様な分極方向を有する平面圧電材料を含む。駆動電極層は平面圧電材料に接触する駆動電極を含む。駆動電極はリングの形をしており、膜の周辺部の上に配置され、駆動電極層内の膜の上の唯一の駆動電極である。基準電極層は、少なくとも駆動電極により覆われた領域に跨る基準電極を含む。流体吐出システムは更に、駆動電極と基準電極に電気的に接続されたコントローラーを含む。液滴を吐出する動作サイクル中、コントローラーはある期間駆動電極と基準電極との間に電圧差を生成して室を膨張させ、この期間の後に上記電圧差を除去して室を収縮するように動作可能であるとよい。
【００２３】
実施態様は次の特徴の一つ又は複数を含んでよい。連続平面圧電材料の一様な分極方向は基準電極層から駆動電極層に向かってよい。電圧差は負の電圧差であってもよい。連続平面圧電材料の一様な分極方向は室から離れる方向に向いていてもよい。平面圧電材料の一様な分極方向は室の方向に向いていてもよい。
【００２４】
平面圧電材料の一様な分極方向は駆動電極層から基準電極層に向いていてもよい。電圧差は正の電位であってもよい。連続平面圧電材料の一様な分極方向は室から離れる方向に向いていてもよい。平面圧電材料の一様な分極方向は室の方向に向いていてもよい。
【００２５】
一態様では、ポンプ室の作動方法は、ある期間圧電アクチュエータの駆動電極と基準電極との間に負の電圧差を生成してポンプ室を膨張させる工程と、この期間後に負の電圧差を除去してポンプ室を収縮する工程と、を含む。ポンプ室は基板内に形成される空胴である。空胴は、撓むことによりポンプ室を膨張又は収縮させるように動作可能な膜により覆われる。圧電アクチュエータは膜上に支持され、平面圧電材料、駆動電極、及び基準電極を含む。駆動電極と基準電極は平面圧電材料の両側に配置される。駆動電極はリングの形をしており、膜の周辺部の上に配置され、膜の上の唯一の駆動電極である。平面圧電材料は室に跨り、平面圧電材料にほぼ垂直でありかつポンプ室から離れる方向に向いた一様な分極方向を有する。基準電極は膜と駆動電極の間に配置される。基準電極は少なくとも駆動電極により覆われた一つの領域に跨る。
【００２６】
一態様では、流体吐出システムは、室と膜を有する基板を含む。膜は室の片側を覆い、撓むことにより室を膨張又は収縮させるように動作可能である。流体吐出システムは更に、膜上にアクチュエータを含む。アクチュエータは駆動電極層と基準電極層間に配置された圧電層を含む。圧電層はアクチュエータに接触する膜の表面にほぼ垂直な一様な分極方向を有する。駆動電極層は複数の駆動電極を含む。複数の駆動電極は内側電極と内側電極を囲む外側電極とを含む。流体吐出システムは更に、内側電極と外側電極に単極波形を供給するためにアクチュエータに電気的に接続されたコントローラーを含む。
【００２７】
実施態様は次の特徴の一つ又は複数を含んでよい。液滴を吐出する動作サイクル中、コントローラーは室を膨張させる第１の期間に複数の駆動電極内の第１の電極と基準電極間に第１の電圧差パルスを生成し、室を収縮する第２の期間に複数の駆動電極内の第２の電極と基準電極間に第２の電圧差パルスを生成するように動作可能であるとよい。第２の電極は第１の電極とは異なってもよく、第２の期間は第１の期間後であってもよい。第１の電圧差パルスと第２の電圧差パルスはそれぞれ、分極方向とほぼ同じ方向に向いた電界を生成してもよい。複数の駆動電極内の第１の電極は外側電極であり、複数の駆動電極内の第２の電極は内側電極であってもよい。
【００２８】
一態様では、流体吐出システムは、室と膜を有する基板を含む。膜は室の片側を覆い、撓むことにより室を膨張又は収縮させるように動作可能である。流体吐出システムは更に、膜上にアクチュエータを含む。アクチュエータは、駆動電極層と基準電極層間に配置された圧電層を含む。圧電層は、アクチュエータに接触する膜の表面にほぼ垂直な一様な分極方向を有する。駆動電極層は圧電材料に接触する駆動電極を含む。駆動電極はリングの形をしており、室の上の膜の周辺部の上に配置され、駆動電極層内の膜の上の唯一の駆動電極である。流体吐出システムは更に、駆動電極に単極波形を供給するためにアクチュエータに電気的に接続されたコントローラーを含む。
【００２９】
アクチュエータに印加される単極波形は、分極電界とほぼ同じ方向にある圧電層内の電界を生成してもよい。
【００３０】
一態様では、流体吐出システムは、室と膜を有する基板を含む。膜は室の片側を覆い、撓むことにより室を膨張又は収縮させるように動作可能である。流体吐出システムは更に、膜上にアクチュエータを含む。アクチュエータは、駆動電極層と基準電極層間に配置された圧電層を含む。圧電層はアクチュエータに接触する膜の表面にほぼ垂直な一様な分極方向を有する。駆動電極層は複数の駆動電極を含む。複数の駆動電極は内側電極と内側電極を囲む外側電極とを含む。流体吐出システムは更に、内側電極と外側電極に単極波形を供給するためにアクチュエータに電気的に接続されたコントローラーを含む。
【００３１】
実施態様は次の特徴の一つ又は複数を含んでよい。液滴を吐出する動作サイクル中、コントローラーは室を膨張させる第１の期間に複数の駆動電極内の第１の電極と基準電極間に第１の電圧差パルスを生成し、第１の期間の後の、室を収縮する第２の期間に複数の駆動電極内の第１の電極とは異なる第２の電極と基準電極間に第２の電圧差パルスを生成するように動作可能であるとよい。第１の電圧差パルスと第２の電圧差パルスはそれぞれ、分極方向とほぼ同じ方向に向いた電界を生成してもよい。複数の駆動電極内の第１の電極は外側電極であり、複数の駆動電極内の第２の電極は内側電極であってもよい。一態様では、流体吐出システムは、室と膜を有する基板を含む。膜は室の片側を覆い、撓むことにより室を膨張又は収縮させるように動作可能である。流体吐出システムは更に、膜上にアクチュエータを含む。アクチュエータは駆動電極層と基準電極層間に配置された圧電層を含む。圧電層はアクチュエータに接触する膜の表面にほぼ垂直な一様な分極方向を有する。駆動電極層は圧電材料に接触する駆動電極を含む。駆動電極はリングの形をしており、室の上の膜の周辺部の上に配置され、駆動電極層内の膜の上の唯一の駆動電極である。流体吐出システムは更に、駆動電極に単極波形を供給するためにアクチュエータに電気的に接続されたコントローラーを含む。
【００３２】
アクチュエータに印加される単極波形は、分極電界とほぼ同じ方向にある圧電層内の電界を生成してもよい。
【００３３】
開示された技術は次の利点の一つ又は複数を提供することができる。リング状駆動電極は、流体吐出サイクル中の正の駆動電圧を不要にし、アイドル中に静止負バイアスを維持する必要を無くすことができる。二重電極設計は、アクチュエータ内の圧電層がアイドル中に予備圧縮状態よりむしろ中立の弛緩状態のままでいることを許容する。これにより圧電材料の疲労を低減することができる。例えば、各流体吐出サイクル中に負の駆動電圧だけを圧電層に印加する必要がある。圧電層の内部に生成される電界は、全流体吐出サイクル中、圧電材料の分極方向と同じ方向に向くことができる。圧電アクチュエータ内の圧電材料の疲労と減極を低減することができる。
【００３４】
二重電極設計は、単一電極設計と比較して、所与の駆動電圧に対してより大きな全容積変位を提供することができる。あるいは、流体吐出サイクル中に必要な所与の容積変位については、駆動電圧を単一電極設計と比較しほぼ２分の１だけ低減することができる。
【００３５】
二重電極設計による容積変位効率の増加は、より小さなアクチュエータ膜が流体吐出に十分な容積変位を実現できるようにし、ノズル密度を増加することができる。更に、低減された膜領域により流体吐出の膜強度を改善することもできる。
【００３６】
他の態様、特徴、及び利点は本明細書と添付図面からそして特許請求の範囲から明らかになる。
【図面の簡単な説明】
【００３７】
【図１】例示的流体吐出システムの概略断面図である。
【図２Ａ】中央駆動電極を有する例示的流体吐出システムの概略断面図である。
【図２Ｂ】中央駆動電極を有する例示的流体吐出システムの概略上面図である。
【図２Ｃ】図２Ａ〜２Ｂの流体吐出システムにおける液滴吐出サイクルの例示的駆動電圧波形である。
【図２Ｄ】図２Ａ〜２Ｂの流体吐出システムにおける液滴吐出サイクルの別の例示的駆動電圧波形である。
【図３Ａ】リング状駆動電極を有する例示的流体吐出システムの概略断面図である。
【図３Ｂ】リング状駆動電極を有する例示的流体吐出システムの概略上面図である。
【図３Ｃ】図３Ａ〜３Ｂの流体吐出システムにおける液滴吐出サイクルの例示的駆動電圧波形である。
【図４Ａ】中央駆動電極と連続基準電極間に印加された正の電圧下の圧電気膜の撓みを例示する。
【図４Ｂ】リング状駆動電極と基準電極との間に印加された正の電圧下の圧電気膜の撓みを例示する。
【図５Ａ】内側駆動電極（例えば、中央電極）と内側駆動電極を囲む外側駆動電極（例えば、リング状電極）とを含む二重電極圧電アクチュエータの概略図である。
【図５Ｂ】図５Ａの二重電極圧電アクチュエータを利用する流体吐出システムにおける流体吐出サイクル中の中央電極とリング状電極上の例示的駆動電圧波形を例示する。
【図６】１ボルト当たり容積変位と、ポンプ室の横方向寸法に関連する中央駆動電極とリング状駆動電極の横方向寸法と、の相関を例示するプロットである。
【図７】ポンプ室内の１ボルト当たり容積変位（ｄＶ／ｄＵ）とポンプ室半径に対する駆動電極半径の百分率（％）との相関を例示するプロットである。
【図８Ａ】連続ＰＺＴ層の上に例示的リング状電極を有する圧電アクチュエータである。
【図８Ｂ】リング状電極と基準電極間の印加電圧下の図８ＡのＰＺＴ層の撓みを例示する。
【００３８】
様々な図面における同じ参照符号及び名称は同じ要素を示す。
【発明を実施するための形態】
【００３９】
図１は、例示的流体吐出システム（例えば、印字ヘッドモジュール１００）の概略断面図である。
【００４０】
印字ヘッドモジュール１００は、複数の圧電アクチュエータ構造体１２０と、複数の通路が形成されるモジュール基板１１０と、を含む。
【００４１】
モジュール基板１１０はシリコン基板等のモノリシック半導体ボディであってもよい。シリコン基板を通る各通路は、吐出すべき流体（例えば、インク）の流路を定める（図１の断面図には一つの流路と一つのアクチュエータだけが示される）。各流路は、流体入口１１２、ポンプ室１１４、ディセンダ１１６、及びノズル１１８を含むことができる。流路は、更に、流体がノズル１１８を通って吐出されていないときでもインクが流路中を流れるように、再循環経路１１９を含みうる。ポンプ室１１４は、モジュール基板１１０内に形成された空胴である。ポンプ室１１４の片側は、ポンプ室１１４を膨張又は収縮させて流路に沿って流体をポンプ移動させるように撓むことができる薄膜１２３である。薄膜１２３の領域は、薄膜１２３を支持するポンプ室１１４のエッジにより画定することができる。別の言い方をすれば、薄膜１２３の横方向形状は、膜下のポンプ室１１４の周辺部により画定される。薄膜１２３は、ポンプ室１１４の開放側上のモジュール基板１１０に対して薄膜層１２２を接合（例えば、接着（例えば、シリコン−シリコン溶着））することによって、形成可能である。あるいは、薄膜１２３は、ポンプ室１１４のエッチング中にそのまま残されたモノリシック半導体基板の薄い部分であってもよい。圧電アクチュエータ構造体１２０は、ポンプ室１１４の上に配置され、薄膜１２３の露出側に支持される。
【００４２】
圧電アクチュエータ構造体１２０は、第１の電極層（例えば、基準電極層１２４（例えばアースに接続される））と、第２の電極層（例えば、駆動電極層１２８）と、第１の電極層と第２の電極層との間に配置された圧電層１２６と、を含む。圧電アクチュエータ構造体１２０は、薄膜１２３を含むモジュール基板１１０上に支持される（例えば、接着される）。いくつかの実施態様では、圧電アクチュエータ構造体１２０は、別個に製作され、次にモジュール基板１１０に固定される（例えば、接着される）。いくつかの実施態様では、圧電アクチュエータ構造体１２０は、モジュール基板１１０（又は薄膜層１２２）上に層を連続的に蒸着することにより、ポンプ室の上の適所に作ることができる。
【００４３】
圧電層１２６は、第１の電極層と第２の電極層との間の圧電層に印加された電圧に応じて、幾何学的形状を変えるかあるいは曲がる。圧電層１２６の曲がりは薄膜１２３を撓ませ、薄膜１２３は次にポンプ室１１４内の流体を加圧し、流体をディセンダ１１６に制御可能に通過させ、ノズル１１８から液滴を吐出する。したがって関連アクチュエータを有する各流路は、個々に制御可能な流体吐出装置をもたらす。
【００４４】
この例では、第１の電極層は基準電極層１２４である。基準電極層１２４は一つ又は複数の基準電極を含む。基準電極は連続的であってもよく、随意的に複数のアクチュエータに跨ることができる。連続基準電極は、圧電層１２６と薄膜層１２２の露出面（すなわち、薄膜１２３を含むモノリシックモジュール基板の露出面）との間に配置された単一の連続導電層であってもよい。薄膜１２３は、基準電極層１２４及び圧電層１２６をポンプ室１１４内の流体から分離する。駆動電極層１２８は、圧電層１２６の基準電極層１２４とは反対側にある。駆動電極層１２８は、圧電アクチュエータ構造体１２０の駆動電極として機能するパターン化導電部品を含む。
【００４５】
駆動電極及び基準電極は、流体吐出サイクル中の適切な時に適切な持続時間の間圧電層１２６に電圧差を供給するコントローラー１３０に対して、電気的に接続される。第１の電極と第２の電極との間の電圧差は、第２の電極（所謂「基準電極」）に印加された電圧に対する第１の電極（所謂「駆動電極」）に印加された電圧の測定値である。基準電極がアースに接続される場合、駆動電極と基準電極との間の駆動電圧差は駆動電極に印加される電圧に等しい。「駆動電圧」、「駆動電圧差」という用語は交換可能に使用される。通常、基準電極上の電位は一定に保持されるか、あるいは動作中（例えば、パルス発射中）すべてのアクチュエータにわたって同じ電圧波形により共通制御される。
【００４６】
負の電圧差は、駆動電極上の印加電圧が基準電極上の印加電圧より低いときに存在する。正の電圧差は、駆動電極上の印加電圧が基準電極上の印加電圧より高いときに存在する。このような実施態様では、駆動電極に印加された「駆動電圧」又は「駆動電圧パルス」は、圧電駆動に望ましい駆動電圧波形を実現するために、基準電極に印加された電圧に対して測定される。
【００４７】
薄膜１２３のコンプライアンスは、圧電層１２６の作動によりポンプ室１１４の上の薄膜１２３を撓めて、ポンプ室１１４内の流体を加圧できるようにされる。
【００４８】
圧電層１２６は、チタン酸ジルコン酸鉛（ＰＺＴ）膜等のほぼ平面な圧電材料を含むことができる。圧電材料の厚さは、圧電層が印加電圧に応じて撓むことができる範囲にある。例えば、圧電材料の厚さは、約０．５〜２５マイクロメートルの範囲、例えば約１〜７マイクロメートルであってもよい。圧電材料は、ポンプ室１１４の上の薄膜１２３の領域を越えて延在することができる。圧電材料は、モジュール基板内の複数のポンプ室に跨ることができる。あるいは、圧電材料は、異なるアクチュエータの圧電材料を互いにセグメント化してクロストークを低減するために、ポンプ室の上に重ならない領域内に切れ目を含むことができる。
【００４９】
圧電材料の薄膜は、スパッタリングにより薄膜層１２２上に蒸着することができる。スパッタ蒸着のタイプとしては、マグネトロンスパッタ蒸着（例えば、高周波スパッタリング）、イオンビームスパッタリング、反応性スパッタリング、イオンアシスト蒸着、高ターゲット利用スパッタリング（ｈｉｇｈ−ｔａｒｇｅｔ−ｕｔｉｌｉｚａｔｉｏｎ  ｓｐｕｔｔｅｒｉｎｇ）、ハイパワーインパルスマグネトロンスパッタリング（ｈｉｇｈ  ｐｏｗｅｒ  ｉｍｐｕｌｓｅ  ｍａｇｎｅｔｒｏｎ  ｓｐｕｔｔｅｒｉｎｇ）を挙げることができる。スパッタ圧電材料（例えば、圧電薄膜）は大きな蒸着状態分極（ａｓ−ｄｅｐｏｓｉｔｅｄ  ｐｏｌａｒｉｚａｔｉｏｎ）を有することができる。圧電材料をスパッタリングするために使用されるいくつかの環境は、スパッタリング中に直流（ＤＣ）電界を印加する。ＤＣ電界は、負の電圧が圧電材料の露出側に印加されるときに生じる配向に圧電材料を分極させる。図１に示す構成では、このような方法を使用して作製された圧電層の分極方向は、基準電極層１２４から駆動電極層１２８に（例えば、平面圧電層１２６にほぼ垂直方向に）向く。
【００５０】
圧電材料が分極されると、圧電材料への電界の印加により圧電材料を移動させることになる。例えば、図１の駆動電極と基準電極との間の負の電圧差は、分極方向とほぼ同じ方向に向いた圧電層１２６内の電界を生じる。電界に応じて、駆動電極と基準電極との間の圧電材料は垂直方向に膨張し横方向に収縮してポンプ室の上の圧電フィルムを撓ませる。あるいは、図１の駆動電極と基準電極との間の正の電圧差は、分極方向とほぼ反対方向に向いた圧電層１２６内の電界を生じる。電界に応じて、駆動電極と基準電極との間の圧電材料は、垂直方向に収縮し横方向に膨張してポンプ室の上の圧電フィルムを反対方向に撓ませる。撓みの方向と形状は、駆動電極の形状と、ポンプ室の上の膜を越えて跨る圧電膜の固有曲げモード（ｎａｔｕｒａｌ  ｂｅｎｄｉｎｇ  ｍｏｄｅ）とに依存する。
【００５１】
ポンプ室内の容積変位を改善するための駆動電極の設計と最適化については、以下の章で更に詳細に検討する。
【００５２】
中央電極
図２Ａは、駆動電極層内に中央駆動電極２１０を有する例示的流体吐出システム１００の概略断面図である。図２Ｂは、図２Ａに示すのと同じ例示的流体吐出システム１００の概略上面図である。
【００５３】
図２Ａ〜２Ｂの例示的流体吐出システム１００は、埋め込まれたポンプ室１１４を有するモジュール基板１１０を含む。ポンプ室１１４は、流体入口とノズルとの間の流路（図示せず）に接続される。ポンプ室１１４の上側は薄膜１２３により覆われる。この例では、膜は横方向（すなわち、基板１１０の平坦面に平行な方向）寸法Ｄを有する。
【００５４】
圧電アクチュエータ構造体は薄膜１２３の上に置かれ支持される。アクチュエータ内の圧電材料は、圧電層１２６の底面から上面に向いた方向に分極される。駆動電極層は、圧電層１２６の上面に接触する中央駆動電極２１０を含む。中央駆動電極は、横方向寸法Ｒｃを有する単一導電部品（例えばディスク）である。この単一電極設計では、中央駆動電極２１０は、駆動電極層内のすべての他の駆動電極を除いたポンプ室の上に位置する。いくつかの実施態様では、中央駆動電極は最大撓みを実現するために膜の中央部の上に置かれることが好ましい。中央駆動電極の横方向寸法Ｒｃは、Ｄの画分（例えば、Ｄの２／３又はＤの３／４）からＤよりわずかに大きい寸法（例えば、Ｄより最大約１０％大きい寸法）までの範囲にあってもよい。基準電極層は、圧電層１２６と薄膜層１２２の上面との間に配置される基準電極２２０を含む。基準電極は、駆動電極により突き出た領域（すなわち、中央駆動電極２１０）に少なくとも跨ることができる。いくつかの実施態様では、基準電極はまた、複数のポンプ室の上の複数のアクチュエータの駆動電極に跨ることができる。
【００５５】
圧電アクチュエータは、駆動電極２１０及び基準電極２２０に電気的に接続されたコントローラー１３０により制御される。コントローラー１３０は、流体吐出サイクル中にアクチュエータ膜を望ましい方向に撓ませるために、駆動電極２１０に適切な電圧パルスを供給する一つ又は複数の波形生成器を含むことができる。コントローラー１３０は更に、駆動電圧パルスのタイミング、持続時間、及び強さを制御するためのコンピュータ又はプロセッサに接続することができる。
【００５６】
図２Ａ〜２Ｂに示すような中央駆動電極を使用する場合、圧電層に印加される負の電圧差は分極方向Ｐとほぼ同じ方向に向いた電界Ｅを生成する。電界は、主として駆動電極下の圧電材料内及びポンプ室１１４の上の膜の中央部に形成される。電界に応じ、圧電材料は垂直方向に膨張し横方向に収縮する。その結果、膜の中央部は凹形状（アクチュエータ側から見て）を形成する傾向があり、したがって内向きに（室に向かって）撓み、ポンプ室１１４を収縮させる。あるいは、圧電材料に印加された正の電圧差は圧電材料の分極方向の反対方向に向いた電界を生成する。電界に応じて、圧電材料は垂直方向に収縮し横方向に膨張する。その結果、膜の中央部は凸形状（アクチュエータ側から見て）を形成する傾向があり、したがって外方に（室から離れる方向に）撓み、ポンプ室１１４を膨張させる。
【００５７】
図２Ｃは、図２Ａ〜２Ｂの液滴吐出システムにおける流体吐出サイクルの例示的駆動電圧波形である。通常、流体吐出サイクル中、ポンプ室は最初に膨張して流体源から流体を吸い込み、次に収縮してノズルから液滴を吐出する。したがって、中央駆動電極（例えば図２Ａ〜２Ｂに示されるもの）及び基準電極を利用する流体吐出システムを使用する場合、流体吐出サイクルは、ポンプ室１１４を膨張させるために駆動電極に正の電圧パルスを最初に印加することと、次にポンプ室１１４を収縮させるために駆動電極に負の電圧パルスを印加することと、を含む。あるいは、図２Ｃに示すように、大きさＶと持続期間Ｔ１の単一の正の電圧パルスが、ポンプ室を膨張させ流体を吸い込むために駆動電極に印加され、パルスの最後に、ポンプ室は膨張状態から収縮し弛緩状態に戻り液滴を吐出する。
【００５８】
中央駆動電極を使用することによりポンプ室を弛緩状態から膨張させるには、正の電圧差が中央駆動電極と基準電極との間の圧電層に印加される必要がある。このような正の駆動電圧差の使用に関する一つの欠点は、圧電層内に生成される電界が圧電材料の分極方向の反対方向に向くということである。正の電圧差の繰り返し印加は、圧電層の減極を引き起こし時間とともにアクチュエータの効果を低下させる。
【００５９】
正の駆動電圧差の使用を避けるためには、駆動電極を基準電極に対し静止負バイアスで維持し、流体吐出サイクルの膨張段階中だけ中立状態に戻すことができる。図２Ｄに、静止負バイアスを利用する例示的駆動電圧波形を示す。この代案では、ポンプ室は、アイドル中の中央駆動電極上の静止負バイアスにより予備圧縮状態（ｐｒｅ−ｃｏｍｐｒｅｓｓｅｄ  ｓｔａｔｅ）に保たれる。流体吐出サイクル中、負の電圧バイアスは期間Ｔ１の間中央駆動電極から除去され、次の流体吐出サイクルの開始までに再印加される。負バイアスが中央駆動電極から除去されると、ポンプ室は予備圧縮状態から弛緩状態に膨張し流体入口から流体を吸い込む。期間Ｔ１後、負バイアスは中央駆動電極に再印加され、ポンプ室は弛緩状態から予備圧縮状態に収縮し、ノズルから液滴を吐出する。この別の駆動方法は、駆動電極と基準電極との間の正の電圧差を印加する必要性を無くす。しかしながら静止負バイアスと一定の内部ストレスに長い間晒されると、圧電材料の劣化を引き起こす可能性がある。
【００６０】
リング状駆動電極を利用する代替設計は、基準電極に対する駆動電極上の正の駆動電圧差又は静止負バイアスのいずれかの使用を回避する。リング状駆動電極設計の詳細について以下の章で説明する。
【００６１】
リング電極
図３Ａは、リング状駆動電極３１０を有する例示的流体吐出システム１００の概略断面図である。図３Ｂは、図３Ａに示されたのと同じ例示的流体吐出システム１００の概略上面図である。
【００６２】
図３Ａ〜３Ｂの例示的流体吐出システム１００は、埋め込まれたポンプ室１１４を有するモジュール基板１１０を含む。ポンプ室１１４は、流体入口とノズルとの間の流路（図示せず）に接続される。いくつかの実施態様では、ポンプ室１１４の上側は薄膜１２３により覆われる。膜は横方向寸法Ｄを有する。
【００６３】
圧電アクチュエータ構造体は膜の上に置かれ、膜上に支持される。アクチュエータ内の圧電材料は、底面から圧電層１２６の上面に向いた方向（すなわち、膜にほぼ垂直な方向）に分極される。駆動電極層は、圧電層１２６の上面に接触するリング状駆動電極３１０を含む。
【００６４】
リング状駆動電極３１０は、中央に間隙又は開口を有する導電部品（例えば円形リング）である。リング状駆動電極は、導電部品の外側形状と導電部品内の開口（又は間隙）の内側形状とにより特徴付けられてもよい。内側形状と外側形状は必ずしも幾何学的に相似又は同心である必要が無い。しかしながらいくつかの実施態様では、リングの幅はリングの全体又はほとんどの部分の周囲でほぼ一様であってもよい。
【００６５】
この単一電極設計では、リング状駆動電極３１０は、駆動電極層内のすべての他の駆動電極を除いたポンプ室の上に位置する。リング状駆動電極の開口は、ポンプ室１１４の上の膜の中央部の上に置かれる。リング状駆動電極の導電部は膜の周辺部の上に置かれる。ポンプ室の上の膜の全周３１５は図３Ａ〜３Ｂに示すように、リング状電極３１０により完全に覆われる。図３Ａ〜３Ｂでは、リング状駆動電極の外縁と内縁は、ポンプ室の上の膜の全周に位置合わせ（すなわち、全周と並列に）される。
【００６６】
リング状駆動電極３１０は、開口の内側形状の内側横方向寸法Ｒｉｎと導電部品の外側形状の外側横方向寸法Ｒｏｕｔとにより特徴付けられてもよい。リング状駆動電極Ｒｉｎの内側横方向寸法は、Ｄの画分（例えば、Ｄの２／３又はＤの３／４）から外側横方向寸法Ｒｏｕｔよりわずかに小さい寸法の範囲にあってもよい。リング状駆動電極の外側横方向寸法ＲｏｕｔはＤ以上であり、Ｄより大きくてもよい（例えばＤより約１０％大きくてもよい）。いくつかの実施態様では、約１５０マイクロメートルの横方向寸法を有するポンプ室については、リング状電極の外側横方向寸法はポンプ室の横方向寸法より約５〜１０マイクロメートル大きい。
【００６７】
基準電極層は、圧電層１２６と薄膜層１２２の上面との間に配置された基準電極２２０を含む。基準電極２２０は、上部駆動電極（すなわちリング状駆動電極３１０）により突き出た領域に少なくとも跨ることができる。いくつかの実施態様では、基準電極は、リング状駆動電極により囲まれた中央領域を覆うために、上部駆動電極により覆われた領域を越えて跨ることができる。いくつかの実施態様では、基準電極はまた、一つ又は複数のアクチュエータに跨ることができる。
【００６８】
圧電アクチュエータは、駆動電極３１０と基準電極２２０に電気的に接続されたコントローラー１３０により制御される。コントローラー１３０は、液滴吐出サイクル中に、アクチュエータ膜を望ましい方向に撓ませるために駆動電極２１０に適切な電圧パルスを供給する一つ又は複数の波形生成器を含むことができる。コントローラー１３０は更に、駆動電圧パルスのタイミング、持続時間、及び強さを制御するためのコンピュータ又はプロセッサに接続することができる。
【００６９】
図３Ａ〜３Ｂに示すようなリング状駆動電極と基準電極を使用すると、圧電層に印加された負の電圧差は分極方向とほぼ同じ方向に向いた電界を生成する。電界は、主としてリング状駆動電極の下と膜の周辺部の上の圧電材料内に形成される。電界に応じて、リング状駆動電極下の圧電材料は垂直方向に膨張し横方向に収縮する。その結果、膜の中央部は凸形状（アクチュエータ側から見て）を形成する傾向があり、したがって外方に（室から離れる方向に）撓み、ポンプ室１１４を膨張させる。あるいは圧電層に印加された正の電圧差は、分極方向の反対方向に向いた電界を生成する。電界に応じて、駆動電極下の圧電材料は垂直方向に収縮し横方向に膨張する。その結果、膜の中央部は凹形状（アクチュエータ側から見て）を形成する傾向があり、したがって内向きに（室に向かって）撓み、ポンプ室１１４を収縮させる。
【００７０】
リング状駆動電極下の膜の撓みは、同じ電圧差が駆動電極と基準電極との間の圧電層に印加された場合、中央駆動電極下のものと反対方向である。これは圧電膜中に存在する固有曲げモードのためである。リング状駆動電極下の圧電膜の局所的振る舞いは中央駆動電極下のものと似ているが、駆動電極により覆われた領域を越えて延在する圧電膜を使用することにより、更なる撓みが、駆動電極下に生成された張力のために膜の中央領域の上の圧電材料内に生成される。このような撓みは、圧電層がリング状電極の内縁においてセグメント化された場合、自然には発生しないであろう。
【００７１】
図３Ｃは、図３Ａ〜３Ｂの流体吐出システムにおける流体吐出サイクルの例示的駆動電圧波形である。リング状駆動電極は中央駆動電極として反対の撓みを生成するので、図２Ｃの正の電圧差を置換しそしてポンプ室内の同じ流体吐出サイクルを実現するために負の駆動電圧差を使用することができる。更に、ポンプ作用を実現するために駆動電極上に静止負バイアスを維持する必要性も無い。図３Ａ〜３Ｂに示すように流体吐出システム１００における流体吐出サイクル中、大きさ−Ｖの負の電圧パルスが最初に、期間Ｔ１の間リング状駆動電極３１０に印加され、ポンプ室１１４は膨張して流体源から流体を吸い込み、次に、負の電圧パルスの最後に、ポンプ室１１４は収縮し膨張状態から弛緩状態に移りノズルから液滴を吐出する。
【００７２】
リング状駆動電極は上述の中央駆動電極の欠点を解決する。負の電圧パルスは流体吐出用駆動信号として使用することができ、静止バイアスに晒されることは無く、したがってリング状駆動電極はアクチュエータ内の圧電材料の寿命を改善することができる。
【００７３】
図４Ａに、円形の中央駆動電極と基準電極との間に印加される正の電圧差下の圧電膜の撓みを示す。図４Ｂに、環状リング状駆動電極と基準電極との間に印加される正の電圧差下の圧電膜の撓みを示す。
【００７４】
図４Ａでは、１Ｖの正の電圧差が円形の圧電膜の中央部に印加され、端はアースに保持される。ポンプ室の半径は１５０マイクロメートル、中央の全変位は約７．１ｎｍ、全容積膨張は１４２×１０−１８ｍ３である。
【００７５】
図４Ｂでは、１Ｖの正の電圧差が圧電膜の端に印加され、中央領域はアースに保持される。ポンプ室の半径もまた１５０マイクロメートル、中央の全変位は約−４．６ｎｍ、全容積収縮は９８×１０−１８ｍ３である。
【００７６】
中央電極とリング電極を有する二重電極設計（Ｄｕａｌ  Ｅｌｅｃｔｒｏｄｅ  Ｄｅｓｉｇｎ）
単一の中央駆動電極と単一のリング状駆動電極とを組み合わせて二重電極設計を行うことができる。ポンプ室を初めに膨張させ次に収縮させるために、零静止バイアスの単極（例えば負の）電圧パルスをリング状駆動電極と中央駆動電極に連続的に印加することができる。図２Ａ〜図３Ｃに示された単一電極設計とは異なり、ポンプサイクル中に必要な全容積変位が膨張段階と収縮段階の間で分割されるので、ポンプ電圧差は二重電極設計において効果的に低下される。更に、所与の駆動電圧差については、二重電極下のポンプ室の大きさは、二重電極により生成される大きな膜撓みのために単一電極設計におけるものより著しく小さくすることができる。したがって高密度のポンプ室とノズルを、二重電極設計を利用する印字ヘッドモジュール内に詰め込むことができ、高い印刷分解能をもたらすことができる。
【００７７】
図５Ａは、内側駆動電極（例えば、中央電極）、内側駆動電極を囲む外側駆動電極（例えば、リング状電極）、及び対向する基準電極を含む二重電極の圧電アクチュエータの概略図である。
【００７８】
図５Ａでは、内側駆動電極５１０と外側駆動電極５２０とは、電極間で間隙により互いに絶縁される。この例では、内側駆動電極５１０は円形導電ディスクであり、外側駆動電極５２０は導電環状リングである。内側駆動電極の横方向寸法Ｒｃは外側駆動電極の内側横方向寸法Ｒｉｎより小さい。外側駆動電極の外側寸法Ｒｏｕｔは、ポンプ室の上の膜の横方向寸法以上である。
【００７９】
内側及び外側駆動電極は圧電層１２６の上面に配置される。内側駆動電極５１０はポンプ室の上の膜の中央部の上に配置される。外側駆動電極５２０はポンプ室の上の膜の全周の上に配置される。外側駆動電極は膜の全周を覆う。外側駆動電極５２０の内縁と外縁は位置合わせされ、ポンプ室壁から間隔をあけて配置される。
【００８０】
圧電層１２６の底面は基準電極５３０に接触する。基準電極５３０の底面はアクチュエータ膜１２２に接触する。基準電極５３０は連続的であってもよく、内側及び外側駆動電極の両方に跨る。基準電極５３０はまた、複数のアクチュエータの駆動電極に跨ることができる。あるいは基準電極はまた、内側及び外側駆動電極に対応する内側及び外側部分にセグメント化されてもよく、これらの部分は個別に制御可能であってもよい。複数のアクチュエータの基準電極の内側部分は、第１の共通基準電圧に電気的に接続され共通制御されてもよく、複数のアクチュエータの基準電極の外側部分は第２の共通基準電圧に電気的に接続され共通制御され（しかし、内側部分とは切り離され）てもよい。
【００８１】
内側駆動電極５１０、外側駆動電極５２０、及び基準電極５３０は、コントローラー１３０に接続される。コントローラー１３０は、ポンプ室の上の圧電膜を作動するのに適切な駆動電圧を供給することができる。いくつかの実施態様では、外側駆動電極５２０は、内側駆動電極５１０にアクセスできるようにする一つ又は複数の小さなスリット（リングの幅を横断するスリット）を有することができる。例えば、外側駆動電極５２０の幅を横切るスリットを、内側駆動電極５１０とコントローラー１３０間の導電路を収容するために使用することができる。スリットの幅が外側駆動電極の大きさに比較して小さければスリットの存在は駆動電極の動作に実質的な影響を与えなく、外側駆動電極は依然として内側駆動電極５１０をほぼ囲うことができる。あるいはコントローラー１３０に接続された内側電極５１０に接続するために外側駆動電極５２０の上又はその下に絶縁導電路を配置することができる。
【００８２】
この特定の例では、二重電極圧電アクチュエータは、ＰＺＴ膜（例えば、膜を越えて跨る連続ＰＺＴ膜）で作られた圧電層を含む。ＰＺＴ膜は厚さ約５マイクロメートルであり、底面から上面に向いた分極方向（すなわち、膜に対しほぼ垂直な方向）を有する。ＰＺＴ膜の厚さは約０．５マイクロメートル〜１０マイクロメートルの範囲であってもよい。膜層は厚さ約１１マイクロメートルのシリコン膜である。膜層の可撓性部分がポンプ室の上の膜を形成する。ポンプ室と膜はそれぞれ１５０マイクロメートルの横方向寸法を有する。内側駆動電極はポンプ室の横方向寸法の約３分の２（２／３）の半径を有する。外側電極は、少なくともポンプ室の横方向寸法（又は、膜の横方向寸法）以上である外側寸法を有する。
【００８３】
図５Ｂは、図５Ａに示す二重電極圧電アクチュエータを利用する流体吐出システムにおける流体吐出サイクルの基準電極に対する内側駆動電極と外側駆動電極（すなわち、この例の内側電極と外側電極の両方に跨る連続基準電極）上の例示的駆動電圧波形を示す。
【００８４】
二重電極設計では、駆動電極はアイドル中、中立状態に保たれる。静止バイアスは基準電極に対するいかなる駆動電極にも印加されない。流体吐出サイクル中、第１の負の電圧パルスが期間Ｔ１中にポンプ室を膨張させるために外側駆動電極に印加され、次に、第２の負の電圧パルスが期間Ｔ２中にポンプ室を収縮するために内側駆動電極に印加される。図５Ｂは、ポンプサイクル中の基準電極に対し駆動電極に印加された駆動電圧と膜の形状との対応を示す。同じ駆動電圧大きさＶに対して、二重電極アクチュエータにより生じる全容積変位は、同じ駆動電圧下の内側駆動電極と外側駆動電極の全容積変位の和である。いくつかの実施態様では、内側駆動電極と外側駆動電極に印加される駆動電圧は、特定の設計及び／又は動作要件に依存して同じ又は異なる大きさであってもよい。
【００８５】
駆動電圧パルスは、内側及び外側駆動電極と基準電極に電気的に接続されたコントローラー１３０により供給することができる。コントローラー１３０は負の電圧パルスの波形を生成する又は得るように動作可能である。コントローラーは、各電極上の駆動パルスのタイミング、持続時間、大きさ、及び時間遅れを制御する制御信号を受信又は生成することができる。駆動電圧パルスの持続時間は、アクチュエータ膜が最大撓みに達するのに必要な時間に基づき決定することができる。第１の駆動電圧パルスと第２の駆動電圧パルス間の時間遅れは、膜が膨張状態から弛緩状態に戻るのにかかる時間に基づき決定することができる。
【００８６】
圧電アクチュエータの最適化と変形態様
駆動電極とポンプ室の相対的大きさは、単一電極設計（中央駆動電極又はリング状駆動電極）と二重電極設計（内側駆動電極と内側駆動電極を囲む外側駆動電極）の両方において実現することができる全容積変位に影響を与える。最大全容積変位は、電極サイズを調整することにより特定形状の電極に対して実現することができる。
【００８７】
図６は１ボルト当たり容積変位と、ポンプ室の横方向寸法に関連する中央駆動電極とリング状駆動電極の横方向寸法と、の相関を示すプロットである。このプロットでは、ポンプ室の寸法はポンプ室の上の膜の寸法と同一である（すなわち、ポンプ室の壁は膜に対し垂直である）。
【００８８】
これらのプロットは、ポンプ室の上のアクチュエータ膜の中央に置かれた円形（すなわち、円形ディスク又は環状リング）の電極のものである。ポンプ室は半径１５０マイクロメートルを有する。アクチュエータ膜は厚さ１１マイクロメートルである。圧電層は厚さ５マイクロメートルである。プロットに示される正確な値はこの特定な構成に固有であるが、容積変位と電極サイズとの相関は、他の大きさと形状の電極とポンプ室を例証するものである。
【００８９】
プロットの水平軸はポンプ室の中央からの距離を示す。示された最大距離は１５０マイクロメートル（ポンプ室の半径）である。左側の垂直軸は電極の容量（Ｆ）である。右側の垂直軸は１ボルト当たり容積変位（ｍ３／ボルト）である。曲線６０１は円形の中央電極の容量と円形の中央電極の半径との相関である。曲線６０２は円形のリング状電極の容量と円形のリング状電極の内径との相関である。曲線６０３は曲線６０１と曲線６０２の和である。曲線６０４は円形の中央電極の容積変位と円形中央電極の半径との相関である。曲線６０５は円形のリング状中央電極の容積変位と円形のリング状電極の内径との相関である。曲線６０６は曲線６０４と６０５の和である。
【００９０】
曲線６０４は、中央電極上の正の駆動電圧が正の容積変位を生ずる（すなわち、室が膨張する）ことを示す。最大膨張は、円形電極の半径がポンプ室半径の約３分の２（２／３）である約１００マイクロメートルに達すると生じる。中央電極の半径がポンプ室半径の３分の２（２／３）に達する前、容積変位は電極半径とともに増加し、半径がポンプ室半径の２／３に達した後、容積変位は電極半径と共に減少し始める。図６は最大ポンプ室半径の電極半径だけを示すが、ポンプ室半径をわずかに越える電極半径が依然としてポンプ室内の容積変位を生じ得ることはポンプ室半径における非零容積変位から分かる。
【００９１】
曲線６０５は、リング状駆動電極上の正の駆動電圧が負の容積変位を生ずる（すなわち、ポンプ室は収縮する）ことを示す。最大収縮は、リング状電極の内径が約１１２マイクロメートルに達すると生じる。リング状駆動電極の外径はこのプロットのポンプ室半径と同じである。しかしながら外径はポンプ室半径よりわずかに大きくてよく、又それが好ましい。例えば、半径１５０マイクロメートルを有するポンプ室については、リング状駆動電極の外径は１５５〜１６０マイクロメートルであってもよい。
【００９２】
リング状電極は最大容積変位に関し中央電極に比し効率が落ちるということがわかる。例えば、円形の中央電極の最大容積変位は半径ｒｃ１＝１００マイクロメートルにおいて約１．９×１０−１６ｍ３／ボルトである。円形のリング状電極の最大容積変位は、内径ｒｒｅ＝１１２マイクロメートルにおいて約１．７×１０−１６ｍ３／ボルトである。一つの二重電極設計では、中央駆動電極の半径とリング状駆動電極の内径は両方ともポンプ室内の最大容積変位を実現するように選択される。この特別な例では、このような設計は、中央駆動電極とリング状駆動電極間に約１２マイクロメートルの間隙を必要とする。
【００９３】
別の二重電極設計では、内側駆動電極（例えば、中央駆動電極）の半径と外側駆動電極（例えば、リング状駆動電極）の内径は、容積変位が二つの駆動電極について等しくなるようにされる。リング状駆動電極の内径がｒｒｅである場合、中央駆動電極の半径はｒｃ２＝８０マイクロメートルである。１ボルト当たり容積変位は、リング状駆動電極と中央駆動電極について１．７×１０−１６ｍ３／ボルトで大きさが同じになるだろう。この設計では、電極間には約３２マイクロメートルの間隙がある。
【００９４】
ポンプ室と駆動電極の相対的大きさに加えて、最大容積変位はまた、圧電層の厚さにわずかに影響される。図７は、ポンプ室内の１ボルト当たり容積変位（ｄＶ／ｄＵ）とポンプ室半径に対する中央駆動電極半径の百分率（％）との相関を例示するプロットである。通常、１ボルト当たり容積変位は中央駆動電極の半径がポンプ室半径の約２／３に達するとピークに達する。しかしながらＰＺＴ膜の厚さに依存してピークはわずかにずれる。例えば、厚いＰＺＴ膜ではピークはわずかに小さな電極半径側にずれ、薄いＰＺＴ膜ではピークはわずかに大きな電極半径側にずれる。通常、１ボルト当たり容積変位はＰＺＴ膜厚が増加すると低下する。中央駆動電極の可能な設計領域はポンプ室半径の約６０％〜８０％である。容積変位の十分な柔軟性とポンプ室内の流体を加圧するのに十分な強度の両方を維持するために、ＰＺＴ膜の厚さは０．５マイクロメートル〜１０マイクロメートルの範囲であってもよい。
【００９５】
図６と図７のプロットは円形内側電極及び／又は環状リング状外側電極のものであるが、同様の寸法の相関を他の形状の電極について見出すことができる。例えば、外側電極のリング形状は円形に制限されなく、むしろ開口中央部を有する他の形状（例えば、楕円形、多角形、正方形、矩形、三角形等々）を含むことができる。更に、いくつかの実施態様では、リング形状は（例えば、内側電極をコントローラーに接続する通路を収容するために）、リングの幅にわたって切断された間隙を含むことができる。いくつかの実施態様では、リング状駆動電極は、もはや単一導電部品ではなくなるようにリングの幅にわたって切断された２つ以上のスリットを有することができる。このような実施態様では、リング状電極のいくつかのセグメントは共通制御信号に結び付けられるか、あるいは単一のリング状駆動電極として機能するように同期制御されてよい。このような実施態様では、このようなスリットはスリットの幅及び／又は数がリングの大きさに対しわずかである場合、リング状駆動電極の効果を実質的に変えず、したがってリング状電極のセグメントはリング状駆動電極のセグメントで囲まれた中央領域を依然として実質的に囲む。
【００９６】
同様に、内側駆動電極は円形ディスクに制限されなく、任意の形状（例えば、楕円形、多角形、正方形、矩形、又は三角形等々）を有することができる。いくつかの実施態様では、切れ目が内側駆動電極の領域に比較して小さく、かつ内側電極のすべてのセグメントが共通制御信号に結び付けられるかあるいは単一の中央駆動電極として機能するように同期制御される限り、内側駆動電極は一つ又は複数の切れ目を含むことができる。いくつかの実施態様では、内側駆動電極は、その中に一つ又は複数の開口（例えば、リング、開口リング、又は孔を有するディスク）を含むことができる。一つ又は複数の開口の存在は、開口が内側駆動電極の大きさに対し数及び大きさにおいてわずかである場合、内側駆動電極の動作を実質的に妨害しない。
【００９７】
駆動電極の位置はまた、圧電アクチュエータの性能に影響を与え得る。中央駆動電極及び／又は内側駆動電極は、ポンプ室の上の膜の中央部のほぼ上に配置されてもよい。図２〜図５に示す設計では、円形の中央駆動電極又は内側駆動電極はポンプ室の上の膜の中央に配置される。中央駆動電極又は内側駆動電極の位置は、いくつかの実施態様ではわずかに変えることができる（例えば、ポンプ室の形状又は流体吐出装置の他の部品の位置に対処するために）。通常、内側駆動電極を膜の中央部の上に置くことにより、より大きな膜の撓みを実現することができる。しかしながら駆動電極の特定の設計とポンプ室の形状に依存して、中央部からの一定のオフセットが望ましい場合がある。
【００９８】
同様に、リング状駆動電極及び／又は外側駆動電極は、膜の中央部のほぼ上にその開口を有する膜の周辺部の上に配置することができる。図３〜図５に示す設計では、リング状駆動電極及び／又は外側駆動電極はポンプ室壁の全周にほぼ整合された内縁と外縁を有し、ポンプ室の周囲全体（又は、周囲のほぼ全体）を覆う。リング状駆動電極及び／又は外側駆動電極のこのような整合された位置決めは整合されない位置決めより大きな膜撓みを許容することができる。
【００９９】
リング状電極の内周と外周は必ずしも幾何学的に相似又は同心である必要は無い。しかしながらいくつかの実施態様では、リングの幅はリング全体の周囲で、あるいはリングの大部分の周囲でほぼ一様である。同様に、内側電極の外周とリング状電極の内周は必ずしも幾何学的に相似又は同心である必要が無い。しかしながらいくつかの実施態様では、内側電極と外側電極間の間隙は内側電極全体の周囲でほぼ一様であってもよい。
【０１００】
基準電極は、それぞれがアクチュエータのそれぞれの内側又は外側駆動電極と対向する部分間でセグメント化されてよい。基準電極はまた連続であってよく、アクチュエータの内側及び外側駆動電極の両方に跨ることができる。いくつかの設計では、連続基準電極は複数のアクチュエータの電極に跨ることができる。いくつかの設計では、複数のアクチュエータの基準電極、又は単一のアクチュエータの基準電極のセグメント化部分は、共通制御信号に結び付けられるかあるいは同期制御されてよい。
【０１０１】
圧電材料は連続であってよく、ポンプ室の上の全領域にわたって及びそれを越えて跨ることができる。いくつかの実施態様では、連続圧電材料はいくつかのアクチュエータに跨ることができる。あるいは圧電材料は、異なるアクチュエータの圧電材料を互いにセグメント化してクロストークを低減するために、ポンプ室の上に重ならない領域内に切れ目を含むことができる。
【０１０２】
図８Ａに、連続ＰＺＴ層の上に別の例示的リング状電極８００を有する圧電アクチュエータを示す。図８Ｂは、図８Ａの例示的リング状電極８００下のＰＺＴ層の撓みを示す。
【０１０３】
この設計では、リングの形状は、リングの内縁８１０により形成された内側形状とリングの外縁８２０により形成された外側形状とにより画定される。リングの内側形状は、外部電圧源又はコントローラー１３０に接続される六角形の一頂点がわずかに細長く丸い以外は、ほぼ六角形である。リングの外側形状は内側形状のものと類似しており、内側形状と外側形状は、リングの幅（Ｗ）が電圧源又はコントローラー１３０に接続する側を除いてリングの周囲でほぼ同じとなるようにほぼ同心である。
【０１０４】
図８Ａのリング状電極８００は、連続圧電膜８４０の上面で、かつポンプ室の上に置かれる。ポンプ室端８３０はリング状電極８００の真下にある。リングの形状はまた、ポンプ室の形状に厳密に追随する。したがってリングはポンプ室の上の膜の全周にほぼ整合される。連続基準電極は圧電膜８４０とシリコン基板８５０間に配置される。
【０１０５】
図８Ｂは、負の電圧が基準電極に対しリング状駆動電極８００に印加された場合の圧電（例えば、ＰＺＴ）膜の撓みのシミュレーション結果を示す。膜は外方に（ポンプ室から離れる方向に）撓み、ポンプ室は膨張する。
【０１０６】
二重電極設計における内側及び外側駆動電極の設計と、単一電極設計におけるリング状電極の設計はまた、圧電膜の静的撓みと動的撓みが０Ｈｚとポンプ室機械共振周波数とにおいてほぼ同じでなければならないことを考慮することができる。
【０１０７】
上記で検討した駆動電圧は単純な矩形電圧パルスであるが、更に多くの複雑な電圧を、例えば、吐出される液滴の大きさ、速度、又は数を制御するために印加することができる。
【０１０８】
上記例について検討された圧電材料はポンプ室から離れる方向の分極方向を有するが、いくつかの実施態様では、ポンプ室の方向に向いた分極方向を有する予備焼成圧電層（例えば、モジュール基板に接着される前に焼成されるバルク圧電材料）を膜に貼り付けることができる。このような実施態様では、同じポンプ作用を実現するために同様に電圧パルスを反転することができるであろう。
【０１０９】
上記考察は、駆動電極層が圧電層の露出側の上に置かれ基準電極層が圧電層と膜層間に配置された構成について言及したが、駆動電極と基準電極層の位置は反転されてもよい。ポンプ室に対する圧電材料の所与の分極方向（すなわち、ポンプ室から離れる方向又はポンプ室に向かう方向のいずれか）については、同じポンプ作用を実現するために基準電極に対し駆動電極に印加される電圧パルスを同様に反転できるであろう。
【０１１０】
各構成における各駆動電極上の適切なポンプ電圧パルスの選択は、以下の外側（例えば、リング状）駆動電極と内側（例えば、中央）駆動電極の基本的な振る舞いに基づいてよい。
【０１１１】
リング状駆動電極の基本的な振る舞いは次の通りである。リング状駆動電極と基準電極との間に印加される電圧差がリング状駆動電極と基準電極との間の圧電材料の分極方向と同じ方向に向く電界を生成するとポンプ室は膨張し、リング状駆動電極と基準電極との間に印加される電圧差がリング状駆動電極と基準電極との間の圧電材料の分極方向と反対方向に向く電界を生成するとポンプ室は収縮する。
【０１１２】
中央駆動電極の基本的な振る舞いは次の通りである。中央駆動電極と基準電極との間に印加される電圧差が中央駆動電極と基準電極との間の圧電材料の分極方向と同じ方向に向く電界を生成するとポンプ室は収縮し、中央駆動電極と基準電極との間に印加される電圧差が中央駆動電極と基準電極との間の圧電材料の分極方向と反対方向に向く電界を生成するとポンプ室は膨張する。
【０１１３】
駆動電極と基準電極との間の電圧差が圧電材料の分極方向と同じ方向に向く電界を生成することができる４つの状況が存在する。
【０１１４】
第１に、圧電材料の分極方向がポンプ室から離れる方向に向く場合、分極方向がまた基準電極層から駆動電極層向くように電極が配置されると、駆動電極と基準電極との間の負の電圧差は圧電材料の分極方向と同じ方向に向く電界を生成する。
【０１１５】
第２に、圧電材料点の分極方向がポンプ室から離れる方向に向く場合、分極方向が駆動電極層から基準電極層に向くように電極が配置されると、圧電電界の分極方向と同じ方向に向く電界を生成するために駆動電極と基準電極との間に正の電圧差が必要である。
【０１１６】
第３に、圧電材料の分極方向がポンプ室の方向に向く場合、分極方向が又基準電極層から駆動電極層向くように電極が配置されると、駆動電極と基準電極との間の負の電圧差は圧電材料の分極方向と同じ方向に向く電界を生成する。
【０１１７】
第４に、圧電材料の分極方向がポンプ室の方向に向く場合、分極方向が駆動電極層から基準電極層に向くように電極が配置されると、圧電電界の分極方向と同じ方向に向く電界を生成するために駆動電極層と基準電極層間に正の電圧差が必要である。
【０１１８】
同様に、駆動電極と基準電極との間の電圧差が圧電材料の分極方向と反対方向に向く電界を生成することができる４つの状況が存在する。
【０１１９】
ポンプサイクル中、膨張及び収縮段階の両方の間圧電材料の分極方向と同じ方向に向く電界を有することが時には好ましい（例えば、二重電極設計例において）。いくつかの実施態様では、ポンプサイクルの膨張段階の間だけ分極方向と同じ方向に向く電界を有することが可能であり、収縮は印加電界の無い膜の自然緩和により行われる。分極方向と同じ方向に向いた電界の印加は圧電材料の減極と疲労を低減するのを助けるが、実際には、この選好は他の目標を実現するために見合わせられることがある。
【０１２０】
ポンプサイクル中、最初にポンプ室を膨張させ次に収縮させることが好ましい。単一のリング状駆動電極を使用する場合、分極方向と同じ方向に向く電界を、最初にポンプ室を膨張させる期間Ｔの間生成し、次にポンプ室をその弛緩状態に戻すために除去することができる。更なる収縮については、膨張期間後、分極方向の反対方向に向く電界を期間Ｔの間印加することができるが、これは圧電材料を劣化する傾向がある。
【０１２１】
内側駆動電極と外側駆動電極を有する二重電極設計を使用する場合、ポンプ室を膨張させるために、第１の期間Ｔ１の間、第１の電圧差が、外側駆動電極と基準電極との間に印加され圧電材料の分極方向と同じ方向に向く電界を生成し、次にポンプ室を収縮するために、第２の期間Ｔ２の間、第２の電圧差が、内側駆動電極と基準電極との間に印加され圧電材料の分極方向と同じ方向を向く電界を生成する。全ポンプサイクル（例えば、膨張及び収縮期間）中、圧電材料内に生成された電界は分極方向と同じ方向を向くので、この動作順序は圧電材料の減極を低減する。いくつかの実施形態では、例えば、最初に、分極方向の反対方向に向いた電界を生成して室を膨張させるために内側電極上に第１の電圧差を印加し、次に、分極方向の反対方向に向いた別の電界を生成して室を収縮するために外側駆動電極上に第２の電圧差を印加することにより電圧印加を反転することが可能である。しかしながらこの動作順序は圧電材料の減極を増加し、圧電アクチュエータの寿命と効果を低減するであろう。
【０１２２】
本明細書及び特許請求範囲を通して「前」と「後」、「上」と「底」、又は「水平」と「垂直」等の用語の使用は、本明細書に記載の印字ヘッドモジュールと他の要素の様々な部品の相対的位置又は配向を識別するためのものであって、印字ヘッドモジュールの重力に対する特定の配向を意味するものではない。
【０１２３】
本明細書は多くの特定の実施態様詳細を含むが、これらは、特許請求範囲に明示的に示されない限り、任意の発明又は請求され得るものの範囲の制限としてではなく特定の発明の特定の実施形態に固有と考えられる特徴の説明として解釈されるべきである。
【図１】
0005694963.tif 000002
【図２Ａ】
0005694963.tif 000003
【図２Ｂ】
0005694963.tif 000004
【図２Ｃ】
0005694963.tif 000005
【図２Ｄ】
0005694963.tif 000006
【図３Ａ】
0005694963.tif 000007
【図３Ｂ】
0005694963.tif 000008
【図３Ｃ】
0005694963.tif 000009
【図４Ａ】
0005694963.tif 000010
【図４Ｂ】
0005694963.tif 000011
【図５Ａ】
0005694963.tif 000012
【図５Ｂ】
0005694963.tif 000013
【図６】
0005694963.tif 000014
【図７】
0005694963.tif 000015
【図８Ａ】
0005694963.tif 000016
【図８Ｂ】
0005694963.tif 000017